(57)【特許請求の範囲】
【請求項１】
操作入力装置と表示装置とを有し、角度が変更可能な操作パネル及び、ユーザを撮像し前記操作パネルの奥側に設けられて前記操作パネルの角度変更により撮像範囲内の人物像が撮像範囲内で移動する撮像装置とを備える画像形成装置であって、前記操作パネルの角度を変更させる操作パネル位置可動部と、この操作パネル位置可動部を制御して前記操作パネルの角度を変更することで前記操作パネルの位置を制御する操作パネル位置制御部とを備え、この操作パネル位置制御部は前記撮像装置からの情報より前記撮像装置の撮像範囲内での人物像の位置を判断して該撮像範囲内の人物像の位置が該撮像範囲内の所定の位置に調整されるように前記操作パネルの角度を変更することを特徴とする画像形成装置。
【請求項２】
請求項１記載の画像形成装置において、前記操作パネル位置の移動量を補正する制御位置補正部を備え、前記操作パネルの移動位置を補正することを特徴とする画像形成装置。
【請求項３】
請求項２記載の画像形成装置において、前記制御位置補正部は前記操作パネルの各移動方向に対して個別に設けてあることを特徴とする画像形成装置。
【請求項４】
請求項３記載の画像形成装置において、前記制御位置補正部によって前記操作パネル位置の移動量が補正されて、前記撮像装置からの情報に応じて前記操作パネル位置が移動された後に、さらに前記操作パネル位置を修正する操作位置修正部を備えることを特徴とする画像形成装置。
【発明の詳細な説明】
【技術分野】
【０００１】
本発明は、複写機、ファクシミリ装置、プリンタ、あるいはそれらの機能を併せ持つ複合機などの画像形成装置に関する。
【背景技術】
【０００２】
近年、ネットワークに接続され、複数の通信プロトコルを適用し、他の端末装置との間で種々のデータを通信することが可能なネットワーク複合機を備えたネットワーク通信システムが構築されている。
このようなネットワーク通信システムでは、ネットワーク複合機を核とした種々のアプリケーションサービスが提供される。例えば、読み取った原稿画像を指定されたメールアドレスへ電子メールを用いて送信する「スキャン・ツー・イーメール」サービス、受信した電子メールの本文情報や、添付ファイルの画像などを記録出力する電子メールプリントアウトサービス、受信した電子メールの本文情報や、添付ファイルの画像などを、指定されたファクシミリ装置へ送信する電子メールファクス転送サービスなどがある。
このようなネットワーク複合機は、種々のセキュリティ上の観点から、使用できるユーザーを限定したり、各ユーザーが利用できる機能を制限するなど、ユーザーの認証を行う必要がある。
個人を認証する手段として、認証番号の入力や、個人に配布された認証カードの利用、あるいは個人を特定する指紋認証、ＣＣＤカメラを利用した顔認証などの生体認証などが挙げられる。
一方、上述のネットワーク複合機においては益々多機能化が進行し、ユーザーが直接触れる箇所である操作パネルの表示は複雑となり、使いづらい結果を招いている。これを解消するため、上述の個人認証手段を用い、個々のユーザーに対応した操作パネル表示を提示する技術は一般的である。
なお、先行文献として特許文献１等がある。
【特許文献１】特開平９−１７９５０２号公報
【発明の開示】
【発明が解決しようとする課題】
【０００３】
また、機器の操作パネルの角度を変更可能な構成（いわゆるチルト機能）とし、ユーザーが自身の身長の高低に合わせて操作パネルを見やすい位置に調整する技術も一般的である。
本発明は、角度が変更可能な操作パネルの搭載を前提とし、操作パネルの位置変更に際し、使い勝手を向上させることができる画像形成装置を提供することを目的とする。
【課題を解決するための手段】
【０００４】
上記目的を達成するために、請求項１記載の発明は、操作入力装置と表示装置とを有し、角度が変更可能な操作パネル及び、ユーザを撮像し前記操作パネルの奥側に設けられて前記操作パネルの角度変更により撮像範囲内の人物像が撮像範囲内で移動する撮像装置とを備える画像形成装置であって、前記操作パネルの角度を変更させる操作パネル位置可動部と、この操作パネル位置可動部を制御して前記操作パネルの角度を変更することで前記操作パネルの位置を制御する操作パネル位置制御部とを備え、この操作パネル位置制御部は前記撮像装置からの情報より前記撮像装置の撮像範囲内での人物像の位置を判断して該撮像範囲内の人物像の位置が該撮像範囲内の所定の位置に調整されるように前記操作パネルの角度を変更するものである。
請求項２記載の発明は、請求項１記載の画像形成装置において、前記操作パネル位置の移動量を補正する制御位置補正部を備え、前記操作パネルの移動位置を補正するものである。
請求項３記載の発明は、請求項２記載の画像形成装置において、前記制御位置補正部は前記操作パネルの各移動方向に対して個別に設けてあるものである。
請求項４記載の発明は、請求項３記載の画像形成装置において、前記制御位置補正部によって前記操作パネル位置の移動量が補正されて、前記撮像装置からの情報に応じて前記操作パネル位置が移動された後に、さらに前記操作パネル位置を修正する操作位置修正部を備えるものである。
【発明の効果】
【０００５】
本発明は、操作入力装置と表示装置とを有し、角度が変更可能な操作パネル及び、ユーザを撮像し前記操作パネルの奥側に設けられて前記操作パネルの角度変更により撮像範囲内の人物像が撮像範囲内で移動する撮像装置とを備える画像形成装置であって、前記操作パネルの角度を変更させる操作パネル位置可動部と、この操作パネル位置可動部を制御して前記操作パネルの角度を変更することで前記操作パネルの位置を制御する操作パネル位置制御部とを備え、この操作パネル位置制御部は前記撮像装置からの情報より前記撮像装置の撮像範囲内での人物像の位置を判断して該撮像範囲内の人物像の位置が該撮像範囲内の所定の位置に調整されるように前記操作パネルの角度を変更するので、操作パネルの移動を容易にかつ的確に行うことができる。
【発明を実施するための最良の形態】
【０００６】
以下、本発明の実施形態を図面に従って説明する。
図１は本発明の実施形態に係る画像形成装置が組み込まれたネットワークシステムの構成図である。
本実施形態においては、デジタルカラー複合機１に通信ネットワークであるＬＡＮ（Local Area Network）２を介し、各種の情報処理を実行する情報処理装置であるサーバコンピュータ３や複数台のクライアントコンピュータ４が接続されたシステムを想定する。
サーバコンピュータ３は、例えばＦＴＰ、ＨＴＴＰプロトコルをサポートしたり、ＷｅｂサーバやＤＮＳ（ドメインネームサーバ）の機能を実現するものである。すなわち、このシステムにおいては、デジタルカラー複合機１が備えている画像入力機能（スキャナ機能）、画像出力機能（プリント機能）及び画像蓄積機能などの画像処理機能を、ＬＡＮ２上でシェアし得る環境が構築されているものである。
このようなシステムは、通信制御ユニット５を介してインターネット網６に接続され、インターネット網６を介して外部環境とデータ通信可能に構築されている。通信制御ユニット５としては、ルータ、交換機、モデム、ＤＳＬモデムなどが一般的であるが、最低限ＴＣＰ／ＩＰ通信が可能であればよい。また、ＬＡＮ２は有線通信に限るものではなく、無線通信（赤外線や電波など）であってもよい。また、光ファイバーを用いたものであってもよい。
【０００７】
次に、デジタルカラー複合機１について説明する。ここで、図２は図１に示すデジタルカラー複合機１を概略的に示す外観斜視図、図３は図１に示すデジタルカラー複合機１の第１の実施形態に係るブロック図である。
図２に示すように、デジタルカラー複合機１は、転写紙などの媒体に画像を形成する画像形成装置である印刷装置７の上部に、原稿から画像を読み取る画像読取装置８を配設した構成となっている。
また、画像読取装置８の装置外面には、利用者に対する表示と利用者からの機能設定などの各種の入力を許容する操作パネルＰが設けられている。さらに、操作パネルＰの下部には、光ディスク、フレキシブルディスクなどの記憶媒体Ｍ（図３参照）に記憶されているプログラムコードや画像データなどを読み取る、または、記憶媒体Ｍに対してプログラムコードや画像データなどを書き込む装置である外部メディア入出力装置９が、記憶媒体Ｍの挿入を許容する挿入口を外部に露出させて設けられている。また、操作パネルＰの奥側には撮像部５０が設けてある。
このようなデジタルカラー複合機１のストラクチャとしては、図３に示すように、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
【０００８】
まず、画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
印刷制御ユニット１１は、画像処理制御ユニット１０の制御に従って印刷装置７に対して画像データを含む印刷指示を出力し、印刷装置７に転写紙などの媒体に画像を形成して出力させる。印刷装置７はフルカラー印刷可能となっており、その印刷方式は、電子写真方式のほか、インクジェット方式、昇華型熱転写方式、銀塩写真方式、直接感熱記録方式、溶融型熱転写方式など、さまざまな方式を用いることができる。
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Charge Coupled Device））に集光して読み取り、Ａ／Ｄ変換してＲＧＢ各８ｂｉｔのデジタル画像データを生成する。
このような画像処理制御ユニット１０は、メインプロセッサであるＣＰＵ（Central Processing Unit）１３と、画像読取装置８から読み込んだ画像データを印刷装置７による作像に供すべく一旦格納しておくメモリデバイス（例えば、ＳＤＲＡＭ（Synchronous Dynamic Random Access Memory）など）１４と、制御プログラムなどを記憶したＲＯＭ（Read Only Memory）１５と、システムログ／システム設定／ログ情報などを記録しておく電源ＯＦＦ時にもデータの保持が可能なＮＶＲＡＭ１６とをバス接続したマイクロコンピュータ構成となっている。
【０００９】
また、画像処理制御ユニット１０には、多量の画像データの蓄積やジョブ履歴などの記憶装置となるＨＤＤ（Hard Disk Drive）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリと交信することができる。
また、画像処理ユニット部Ａは、外部（サーバコンピュータ３、クライアントコンピュータ４、ファクシミリなど）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。
また、画像処理ユニット部Ａは、ＳＤＲＡＭ１４やＨＤＤ１７に記憶されている印刷データ、原稿読み取りデータ、これらを出力用に処理した出力画像データ、および、それらを圧縮した圧縮データを外部（サーバコンピュータ３、クライアントコンピュータ４、ファクシミリなど）に転送することができる。
さらに、画像処理ユニット部Ａは、画像読取装置８の読み取り画像データを画像処理制御ユニット１０に転送し、光学系及びデジタル信号への量子化に伴う信号劣化を補正し、該画像データをＳＤＲＡＭ１４に書き込む。このようにしてＳＤＲＡＭ１４に格納された画像データは、印刷制御ユニット１１で出力画像データに変換されて印刷装置７に出力される。
【００１０】
次に、情報処理ユニット部Ｂについて説明する。情報処理ユニット部Ｂは、一般にパーソナルコンピュータといわれるような情報処理装置に用いられる汎用のＯＳ（Operating System）によって制御されるマイクロコンピュータ構成となっている。
情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳやアプリケーションプログラムを記憶するＨＤＤなどの記憶装置３４に対するデータの入出力を制御する記憶装置制御ユニット３５とがバス接続されている。
また、ＣＰＵ３１には、情報処理ユニット部Ｂを、ＨＵＢ１９を介してＬＡＮ２に接続するためのＬＡＮ制御部３３が接続されている。このＬＡＮ制御部３３に割り当てられるネットワークアドレスであるＩＰアドレスは、前述した画像処理ユニット部ＡのＬＡＮ制御部１８、操作装置部ＣのＬＡＮ制御部５３に割り当てられるＩＰアドレスとは異なるものである。
すなわち、本実施形態のデジタルカラー複合機１には、３つのＩＰアドレスが割り当てられていることになる。つまり、画像処理ユニット部Ａと情報処理ユニット部ＢとはＬＡＮ２に接続されていることになり、画像処理ユニット部Ａと情報処理ユニット部Ｂとの間においてはデータ交換が可能な構成になっている。
なお、デジタル複合機１はＨＵＢ１９を会してＬＡＮ２に接続されていることから、見かけ上は、１つのＩＰアドレスのみが割り当てられているように見える。従って、美観を損ねることなく、結線などの取り扱いを容易にすることが可能になっている。
【００１１】
さらに、ＣＰＵ３１には、操作パネルＰを制御する表示制御ユニット３６及び操作入力制御ユニット３７が接続されている。ここで、図４は操作パネルＰの構成を示す平面図である。図４に示すように、操作パネルＰは、例えばＬＣＤ（Liquid Crystal Display）である表示装置４０と、操作入力装置４１とで構成されている。
操作入力装置４１は、表示装置４０の表面に積層された超音波弾性波方式などのタッチパネル４１ａと、複数のキーを有するキーボード４１ｂとで構成されている。キーボード４１ｂには、画像読み取りの開始を宣言するためのスタートキー、数値入力を行うためのテンキー、読み取った画像データの送信先を設定する読取条件設定キー、クリアキーなどが設けられている。
すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるユーザーによる機能設定や入力操作に応じた入力制御信号を、制御パネルＩ／Ｆ３８を介して受信する。
【００１２】
また、操作パネルＰは撮像制御部５１により制御される撮像部５０を備える。撮像部５０はＣＣＤ、ＣＭＯＳセンサなどで実現される光学センサであり、撮像部に入力された画像は映像信号処理部５２で処理され、メモリユニット３２や記憶装置３４に保存される。
撮像制御部５１と映像信号処理部５２は情報処理ユニット部Ｂに接続される。接続の形態としてはＵＳＢ、イーサネット（登録商標）、ＩＥＥＥ１３９４、ＳＣＳＩ、Ｂｕｌｅｔｏｏｔｈ、ＵＷＢ（Ultra Wide Band）、独自のシリアル通信・パラレル通信が考えうるが、コストと接続容易性のバランスからはＵＳＢが望ましく、多対一、一対多、多対多の接続のようにより多様な接続を実現するためにはイーサネット（登録商標）が望ましい。
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのユーザーによる機能設定や入力操作に応じた入力制御信号を画像処理ユニット部Ａに転送する。
なお、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのユーザーによる機能設定や入力操作に応じた入力制御信号は画像処理ユニット部Ａでの仕様に応じた形式にデータ変換処理されてから制御パネル通信ユニット３９に入力される。
【００１３】
上述したように記憶装置３４には、ＣＰＵ３１が実行するＯＳやアプリケーションプログラムが格納されている。この意味で、記憶装置３４は、アプリケーションプログラムを記憶する記憶媒体として機能する。このデジタルカラー複合機１では、ユーザーが電源を投入するとＣＰＵ３１がメモリユニット３２内の起動プログラムを起動させ、記憶装置３４よりＯＳをメモリユニット３２内のＲＡＭに読み込み、このＯＳを起動させる。
このようなＯＳは、ユーザーの操作に応じてプログラムを起動したり、情報を読み込んだり、保存を行ったりする。ＯＳのうち代表的なものとしては、Ｗｉｎｄｏｗｓ（登録商標）などが知られている。これらのＯＳ上で走る動作プログラムをアプリケーションプログラムと呼んでいる。情報処理ユニット部ＢのＯＳは、情報処理装置（サーバコンピュータ３やクライアントコンピュータ４など）と同様のＯＳ、すなわち汎用のＯＳ（例えば、Ｗｉｎｄｏｗｓ（登録商標）など）となっている。
【００１４】
なお、前述したように、本実施形態のデジタルカラー複合機１には、ＯＳ、デバイスドライバや各種アプリケーションプログラムなどの各種のプログラムコード（制御プログラム）や画像データなどを記憶した記憶媒体Ｍ、すなわち、フレキシブルディスク、ハードディスク、光ディスク（ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷなど）、光磁気ディスク（ＭＯ）、半導体メディアなどの記憶媒体Ｍに記憶されているプログラムコードや画像データなどを読み取る、または記憶媒体Ｍに対してプログラムコードや画像データなどを書き込む装置であるフレキシブルディスクドライブ装置、光ディスクドライブ装置、ＭＯドライブ装置、メディアドライブ装置などの外部メディア入出力装置９が搭載されている。このような外部メディア入出力装置９は、ＣＰＵ３１にバス接続されている入出力デバイス制御ユニット４２により制御される。
従って、記憶装置３４に記憶されているアプリケーションプログラムは、この記憶媒体Ｍに記録されたアプリケーションプログラムがインストールされたものであってもよい。このため、記憶媒体Ｍも、アプリケーションプログラムを記憶する記憶媒体となり得る。さらには、アプリケーションプログラムは、例えばインターネット網６及びＬＡＮ２を介して外部から取り込まれ、記憶装置３４にインストールされてもよい。
なお、入出力デバイス制御ユニット４２には、ＵＳＢ、ＩＥＥＥ１３９４、ＳＣＳＩ、Ｂｕｌｅｔｏｏｔｈ、ＵＷＢ、赤外線などの各種インタフェース４３も接続されており、各種インタフェース４３を介して様々な機器が接続可能となっている。
図３に示すように、操作パネルＰは表示装置４０を操作ユーザーが見やすい位置に自在に移動できるような操作パネル位置可動部６１を備える。可動の方式は操作パネルＰの下端近傍を支軸とした周知のチルト機構（参考：特開２００５−１８９５１４公報）が考えられる。勿論、上下への可動でもかまわない。
前述した操作パネルＰに設けられた撮像部５０及び撮像部５０からの入力信号を処理する映像信号処理部５２及び撮像制御部５１により画像処理ユニットＢに入力された情報を基に、同じく画像処理ユニットＢに備えられている操作パネル位置制御部６０により操作パネルＰの位置を制御する。
【００１５】
次に、その動作を図５、及び図６にて説明する。図５は動作フロー、図６は動作イメージである。
図６の上部に記載のごとく撮像部５０からの入力情報にてその撮像範囲内に写る人物像が下であると判断された場合（図５：Ｓ１０１）、画像処理ユニットＢに備えられている操作パネル位置制御部６０は操作パネルＰを下方向に移動するよう指示し（図５：Ｓ１０２）、操作パネルＰに備えられている操作パネル位置可動部６１はそのように移動する。結果として撮像部５０の撮像範囲には図６右端に示される画像が映し出されることとなる。
また、撮像部５０からの入力情報にてその撮像範囲内に写る人物像が上であると、述と逆の動作、すなわち操作パネルＰが上方向に移動することとなる（図５：Ｓ１０３、Ｓ１０４）。その際、操作パネルＰの上方向移動後に撮像部５０の撮像範囲に映し出される画像は操作パネルＰが下方向に移動した場合と変わらない（図６右端に示される画像）。
ここで撮像部５０の入力画像によりなんらかの判断をする技術は顔認証などの人物認証（参考：特開平６−７８０９４号公報）、映し出された人物をロックし追跡するような監視システム・監視カメラ（参考：特開２００３−３２４７２０公報）などで広く一般的である。
図７は図１に示すデジタルカラー複合機１の第２の実施形態に係るブロック図である。図３に示す第１の実施形態における構成に加えて、画像処理ユニットＢに制御位置補正部６２が備えられている。制御位置補正部６２は制御パネル位置制御部６０と接続され、操作パネルＰの位置制御量を補正する。
【００１６】
次に図８、及び図９にて動作を説明する。第１の実施形態との動作の違いは、操作パネルＰの移動後に制御位置補正部６２に予め設定された補正値がある場合に、操作パネルＰの移動量に補正値を加算することにある（図８：Ｓ２０１、Ｓ２０２）。その際、撮像部５０の撮像範囲に映し出される画像は図９のごとく上方向または下方向に調整されていることとなる。
図１０は図１に示すデジタルカラー複合機１の第３の実施形態に係るブロック図である。図７に示す第２の実施形態における制御位置補正部６２が、第３の実施形態では、上方向制御位置補正部６３及び下方向制御位置補正部６４の２構成となり、操作パネルＰの移動方向別にその補正量を設定することが可能となる。
次に図１１のフローにて動作を説明する。第１の実施形態に示す通り、操作パネルＰの位置が下方向に移動すると判断された場合（Ｓ１０２）は、下方向制御位置補正部６４に予め設定されている下方向補正量を加算して操作パネルＰの移動量を決定する（Ｓ３０２）。下方向制御位置補正部６４になにも設定されていなければ補正は行なわれず、デフォルトの移動量のみ移動する（Ｓ３０１：Ｎｏ）。
逆に、操作パネルＰの位置が上方向に移動すると判断された場合（Ｓ１０４）は、上方向制御位置補正部６３に予め設定されている上方向補正量を加算して操作パネルＰの移動量を決定する（Ｓ３０４）。上方向制御位置補正部６３になにも設定されていなければ補正は行なわれず、デフォルトの移動量のみ移動する（Ｓ３０３：Ｎｏ）。
図１２は図１に示すデジタルカラー複合機１の第４の実施形態に係るブロック図である。第４の実施形態では、操作パネルＰの操作入力装置４１にユーザーが操作パネルＰを修正するための操作位置修正部６５を備える。
【００１７】
次に図１３のフローにて動作を説明する。第３の実施形態において、上方向制御位置補正部６３及び下方向制御位置補正部６４を介して決定された操作パネルＰの位置を借りて決定位置とする（Ｓ４０１）。
ユーザー操作にて操作位置修正があった場合（Ｓ４０２：ＹＥＳ）その修正量を加算して操作パネルＰは上方向または下方向に移動する（Ｓ４０３）。操作位置修正がない場合（Ｓ４０３：ＮＯ）、操作パネルＰは仮決定位置のままとなる。ここで、ユーザー位置修正の有無はソフトタイマーやポーリングにより検知される。
図１４は図１に示すデジタルカラー複合機１の第５の実施形態に係るブロック図である。第５の実施形態では、第４の実施形態における構成に加えて、操作パネルＰの操作入力装置４１に位置制御開始キー６６を備える。
次に図１５のフローにて動作を説明する。第１の実施形態から第４の実施形態に示される動作の開始条件に位置制御開始キー６６の入力条件が追加される。すなわち、位置制御開始キー６６の入力をトリガに（Ｓ５０１：ＹＥＳ）、操作パネルＰの移動が開始される。位置制御開始キー６６の入力がなければ（Ｓ５０１：ＮＯ）操作パネルＰはデフォルト状態のまま移動しない。
【図面の簡単な説明】
【００１８】
【図１】本発明の実施形態に係る画像形成装置が組み込まれたネットワークシステムの構成図。
【図２】図１に示すデジタルカラー複合機を概略的に示す外観斜視図。
【図３】図１に示すデジタルカラー複合機１の第１の実施形態に係るブロック図。
【図４】操作パネルの構成を示す平面図。
【図５】第１の実施形態の動作フロー図。
【図６】第１の実施形態の動作イメージ図。
【図７】図１に示すデジタルカラー複合機の第２の実施形態に係るブロック図。
【図８】第２の実施形態の動作フロー図。
【図９】第２の実施形態の動作イメージ図。
【図１０】図１に示すデジタルカラー複合機の第３の実施形態に係るブロック図。
【図１１】第３の実施形態の動作フロー図。
【図１２】図１に示すデジタルカラー複合機の第４の実施形態に係るブロック図。
【図１３】第４の実施形態の動作フロー図。
【図１４】図１に示すデジタルカラー複合機の第５の実施形態に係るブロック図。
【図１５】第５の実施形態の動作フロー図。
【符号の説明】
【００１９】
Ｐ  操作パネル、４１  操作入力装置、５０  撮像部（撮像装置）、６０  操作パネル位置制御部、６１  操作パネル位置可動部、６２  制御位置補正部、６２  操作位置修正部、６６  位置制御開始キー
【図１】
0004713374.tif 000002
【図２】
0004713374.tif 000003
【図３】
0004713374.tif 000004
【図４】
0004713374.tif 000005
【図５】
0004713374.tif 000006
【図６】
0004713374.tif 000007
【図７】
0004713374.tif 000008
【図８】
0004713374.tif 000009
【図９】
0004713374.tif 000010
【図１０】
0004713374.tif 000011
【図１１】
0004713374.tif 000012
【図１２】
0004713374.tif 000013
【図１３】
0004713374.tif 000014
【図１４】
0004713374.tif 000015
【図１５】
0004713374.tif 000016